(57)【要約】【課題】投影画像のズーミングの状態を把握可能にする。【解決手段】プロジェクタ付きカメラは、被写体像を撮像する撮像手段４０と、投影画像を投影する投影手段３０と、投影画像に対するユーザの拡大率変更操作を受け付ける拡大率変更操作部材１０６と、拡大率変更操作部材１０６で受け付けた拡大率変更操作に応じて、投影画像の拡大率を変更する拡大率変更手段５０と、拡大率変更手段５０により変更された投影画像を前記投影手段が投影するように制御する投影制御手段５０と、投影画像の拡大率を表示する表示手段１０７とを備える。【選択図】図２
2008252676.tif 000002
【特許請求の範囲】
【請求項１】
被写体像を撮像する撮像手段と、
投影画像を投影する投影手段と、
前記投影画像に対するユーザの拡大率変更操作を受け付ける拡大率変更操作部材と、
前記拡大率変更操作部材で受け付けた拡大率変更操作に応じて、前記投影画像の拡大率を変更する拡大率変更手段と、
前記拡大率変更手段により変更された前記投影画像を前記投影手段が投影するように制御する投影制御手段と、
前記投影画像の拡大率を表示する表示手段とを備えることを特徴とするプロジェクタ付きカメラ。
【請求項２】
被写体像を撮像する撮像手段と、
投影画像を投影する投影手段と、
前記投影画像に対するユーザのサイズ変更操作を受け付けるサイズ変更操作部材と、
前記サイズ変更操作部材で受け付けたサイズ変更操作に応じて、前記投影画像のサイズを変更するサイズ変更手段と、
前記サイズ変更手段により変更された前記投影画像を前記投影手段が投影するように制御する投影制御手段と、
前記投影画像のサイズを表示する表示手段とを備えることを特徴とするプロジェクタ付きカメラ。
【請求項３】
被写体像を撮像する撮像手段と、
投影画像を投影する投影手段と、
前記投影画像に対するユーザの拡大率変更操作を受け付ける拡大率変更操作部材と、
前記拡大率変更操作部材で受け付けた拡大率変更操作に応じて、前記投影画像の拡大率を変更する拡大率変更手段と、
前記投影画像に対するユーザのサイズ変更操作を受け付けるサイズ変更操作部材と、
前記サイズ変更操作部材で受け付けたサイズ変更操作に応じて、前記投影画像のサイズを変更するサイズ変更手段と、
前記拡大率変更手段および前記サイズ変更手段の少なくとも一方もしくは両方により変更された前記投影画像を前記投影手段が投影するように制御する投影制御手段と、
前記投影画像の拡大率および前記投影画像のサイズの少なくとも一方もしくは両方の情報を表示する表示手段とを備えることを特徴とするプロジェクタ付きカメラ。
【請求項４】
請求項１に記載のプロジェクタ付きカメラにおいて、
前記表示手段は、前記投影画像に同期して画像を表示することを特徴とするプロジェクタ付きカメラ。
【請求項５】
請求項２に記載のプロジェクタ付きカメラにおいて、
前記表示手段は、前記投影画像と同期させずに画像を表示することを特徴とするプロジェクタ付きカメラ。
【請求項６】
被写体像を撮像する撮像手段と、
投影画像を投影する投影手段と、
前記投影画像を投影中に画像を表示する表示手段と、
前記表示手段に表示する画像を複数画像に切替える表示切替手段とを備え、
前記表示切替手段により前記複数画像の表示に切替えられた場合に、前記投影手段は、前記投影画像を前記表示手段に同期させずに投影することを特徴とするプロジェクタ付きカメラ。
【請求項７】
被写体像を撮像する撮像手段と、
投影画像を投影する投影手段と、
前記投影画像の像を形成する投影像形成手段と、
前記投影像形成手段が形成する像の位置を移動するための移動手段とを備えることを特徴とするプロジェクタ付きカメラ。
【請求項８】
被写体像を撮像する撮像手段と、
投影画像を投影する投影手段と、
前記画像をズームアップおよびズームダウンするための投影光学系と、
前記投影画像に対するユーザの拡大率変更操作を受け付ける拡大率変更操作部材と、
前記拡大率変更操作部材で受け付けた拡大率変更操作に応じて、画像処理により前記投影画像の拡大率を変更する拡大率変更手段と、
前記投影画像に対するユーザのサイズ変更操作を受け付けるサイズ変更操作部材と、
前記サイズ変更操作部材で受け付けたサイズ変更操作に応じて、前記投影光学系の駆動により前記投影画像のサイズを変更するサイズ変更手段と、
前記拡大率が変更された場合は前記投影画像と同期して画像を表示し、前記サイズが変更された場合は前記投影画像と同期させずに画像を表示する表示手段とを備えることを特徴とするプロジェクタ付きカメラ。
【発明の詳細な説明】
【技術分野】
【０００１】
本発明は、プロジェクタ装置を備えるカメラに関する。
【背景技術】
【０００２】
従来から、画像を投影するためのプロジェクタ装置を備えたカメラが知られている（たとえば特許文献１）。
【特許文献１】特開２００６−２２２５４７号公報
【発明の開示】
【発明が解決しようとする課題】
【０００３】
しかしながら、投影画像に対するズーミングの状態をユーザが把握することができないという問題がある。
【課題を解決するための手段】
【０００４】
請求項１の発明によるプロジェクタ付きカメラは、被写体像を撮像する撮像手段と、投影画像を投影する投影手段と、投影画像に対するユーザの拡大率変更操作を受け付ける拡大率変更操作部材と、拡大率変更操作部材で受け付けた拡大率変更操作に応じて、投影画像の拡大率を変更する拡大率変更手段と、拡大率変更手段により変更された投影画像を投影手段が投影するように制御する投影制御手段と、投影画像の拡大率を表示する表示手段とを備えることを特徴とする。
請求項２の発明によるプロジェクタ付きカメラは、被写体像を撮像する撮像手段と、投影画像を投影する投影手段と、投影画像に対するユーザのサイズ変更操作を受け付けるサイズ変更操作部材と、サイズ変更操作部材で受け付けたサイズ変更操作に応じて、投影画像のサイズを変更するサイズ変更手段と、サイズ変更手段により変更された投影画像を投影手段が投影するように制御する投影制御手段と、投影画像のサイズを表示する表示手段とを備えることを特徴とする。
請求項３の発明によるプロジェクタ付きカメラは、被写体像を撮像する撮像手段と、投影画像を投影する投影手段と、投影画像に対するユーザの拡大率変更操作を受け付ける拡大率変更操作部材と、拡大率変更操作部材で受け付けた拡大率変更操作に応じて、投影画像の拡大率を変更する拡大率変更手段と、投影画像に対するユーザのサイズ変更操作を受け付けるサイズ変更操作部材と、サイズ変更操作部材で受け付けたサイズ変更操作に応じて、投影画像のサイズを変更するサイズ変更手段と、拡大率変更手段およびサイズ変更手段の少なくとも一方もしくは両方により変更された投影画像を投影手段が投影するように制御する投影制御手段と、投影画像の拡大率および投影画像のサイズの少なくとも一方もしくは両方の情報を表示する表示手段とを備えることを特徴とする。
請求項４の発明は、請求項１に記載のプロジェクタ付きカメラにおいて、表示手段は、投影画像に同期して画像を表示することを特徴とする。
請求項５の発明は、請求項２に記載のプロジェクタ付きカメラにおいて、表示手段は、投影画像と同期させずに画像を表示することを特徴とする。
請求項６の発明によるプロジェクタ付きカメラは、被写体像を撮像する撮像手段と、投影画像を投影する投影手段と、投影画像を投影中に画像を表示する表示手段と、表示手段に表示する画像を複数画像に切替える表示切替手段とを備え、表示切替手段により複数画像の表示に切替えられた場合に、投影手段は、投影画像を表示手段に同期させずに投影することを特徴とする。
請求項７の発明によるプロジェクタ付きカメラは、被写体像を撮像する撮像手段と、投影画像を投影する投影手段と、投影画像の像を形成する投影像形成手段と、投影像形成手段が形成する像の位置を移動するための移動手段とを備えることを特徴とする。
請求項８の発明によるプロジェクタ付きカメラは、被写体像を撮像する撮像手段と、投影画像を投影する投影手段と、画像をズームアップおよびズームダウンするための投影光学系と、投影画像に対するユーザの拡大率変更操作を受け付ける拡大率変更操作部材と、拡大率変更操作部材で受け付けた拡大率変更操作に応じて、画像処理により投影画像の拡大率を変更する拡大率変更手段と、投影画像に対するユーザのサイズ変更操作を受け付けるサイズ変更操作部材と、サイズ変更操作部材で受け付けたサイズ変更操作に応じて、投影光学系の駆動により投影画像のサイズを変更するサイズ変更手段と、拡大率が変更された場合は投影画像と同期して画像を表示し、サイズが変更された場合は投影画像と同期させずに画像を表示する表示手段とを備えることを特徴とする。
【発明の効果】
【０００５】
本発明によれば、投影画像の拡大率、あるいはサイズなど、投影画像の変更状況を表示手段に表示するようにしたので、投影画像の変更状況を把握できる。
【発明を実施するための最良の形態】
【０００６】
−第１の実施の形態−
図面を参照しながら、本発明の第１の実施の形態によるプロジェクタ付き電子カメラを説明する。図１（ｃ）に示す電子カメラ１のボディ１０には、撮影レンズ１０１、閃光窓１０２、およびプロジェクタ投射窓１０３が設けられている。図１（ａ）に示す電子カメラ１のボディ１０の上面には、レリーズボタン１０４、プロジェクタボタン７１、およびメインスイッチ１０５が設けられている。プロジェクタボタン７１は、後述するカメラモードと投影モードとの間で電子カメラ１の動作モードを切替えるための操作部材である。
【０００７】
図１（ｂ）に示すボディ１０の背面には、操作部材１０６および液晶表示器１０７が設けられている。操作部材１０６は、撮影レンズ１０１の倍率や、再生表示画像および投影画像の拡大率を変更する拡大縮小ボタン１０６ａ、液晶表示器１０７の点消灯を切替えるモニタボタン１０６ｂ、撮影と再生表示とを切り換える切換ボタン１０６ｃ、各種の設定をするためのメニュー画面を液晶表示器１０７に表示するためのメニューボタン(MENU)１０６ｄ、記録媒体に記録された画像を削除する削除ボタン１０６ｅ、投影画像や液晶表示器１０７に再生表示する画像を選択するための十字キー１０６ｆ、およびメニュー画面上での設定などを決定するOKボタン１０６ｇなどを含む。拡大縮小ボタン１０６ａが操作されると、拡大縮小スイッチから各種の操作信号が出力される。拡大縮小スイッチは異なる操作信号を択一的に出力するシーソースイッチとして構成され、操作内容に応じて右押し操作信号、左押し操作信号、右長押し操作信号、および左長押し操作信号が出力される。
【０００８】
電子カメラ１には、後述するプロジェクタ装置（プロジェクタ部）３０（図２）が搭載されている。この電子カメラ１は正面に配設されるスクリーンなどに向けて、画像などの情報をプロジェクタ投射窓１０３から投影する。そのため、電子カメラ１は、プロジェクタ装置３０により画像を投影するための投影モードと、画像を撮影するためのカメラモードとを動作モードとして有する。
【０００９】
カメラモードは撮影モードと再生モードとを有する。撮影モードでは、電子カメラ１は被写体像を撮影し、撮影した画像データをメモリカードなどで構成されるメモリカードに撮影画像ファイルとして保存する。再生モードでは、電子カメラ１は撮影済みの画像データを記録媒体（たとえば、メモリカードや内部メモリ）から読み出すなどして、画像データによる再生画像を液晶表示器１０７に再生表示する。撮影開始指示は、レリーズボタン１０４の押下操作に応じて出力される操作信号が対応する。
【００１０】
投影モードでは、電子カメラ１は、撮影済みの画像データを記録媒体（たとえば、メモリカードや内部メモリ）から読出すなどして、画像データによる再生画像を投影像として生成し、プロジェクタ部３０によってプロジェクタ投射窓１０３から投影する。投影モードで画像投影中には、液晶表示器１０７が点灯され、投影画像と同一の画像や、投影画像を含む複数の画像、または拡大縮小ボタン１０６ａの操作に応じた投影画像の拡大率や投影画像のサイズを示す指標が表示される。なお、投影モードが設定されたとき、プロジェクタ部３０は、記録媒体以外から読出された画像データや、電子カメラ１の外部から供給される画像データによる再生画像を投影することも可能に構成されている。
【００１１】
図２のブロック図に示すように、電子カメラ１は、操作部材２１、プロジェクタ部３０、撮像部４０、制御回路５０、メモリ６０、プロジェクタボタン７１、半押しスイッチ１０４ａ、全押しスイッチ１０４ｂ、メインスイッチ１０５、液晶表示器１０７、およびメモリカードインタフェース１０９を有する。
【００１２】
制御回路５０は、制御プログラムに基づいて、電子カメラ１を構成する各部から入力される信号を用いて所定の演算を行なうなどして、電子カメラ１の各部に対する制御信号を送出して、撮影動作および投影動作の制御を行なう。なお、制御プログラムは制御回路５０内の不図示の不揮発性メモリに格納されている。
【００１３】
メモリ６０は制御回路５０の作業用メモリとして使用される。半押しスイッチ１０４ａおよび全押しスイッチ１０４ｂは、それぞれレリーズボタン１０４の押下操作に連動してオン信号もしくはオフ信号を制御回路５０へ出力する。
【００１４】
メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００１５】
−撮像部−
撮像部４０は、撮影レンズ４０１（図１において１０１）、撮像素子（イメージセンサ）４０２、レンズ駆動回路４０３、および撮影制御回路４０４を含む。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００１６】
撮影レンズ４０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００１７】
レンズ駆動回路４０３は、撮影制御回路４０４から出力されるズーム調節信号に基づいて、撮影レンズ４０１を構成するズームレンズ（不図示）を光軸方向（テレ側もしくはワイド側）へ進退駆動する。制御回路５０は、拡大縮小ボタン１６０ａの右長押し操作によりズームアップ信号を撮影制御回路４０４へ送り、拡大縮小ボタン１０６ａの左長押し操作によりズームダウン信号を撮影制御回路４０４へ送る。
【００１８】
−プロジェクタ部−
図２、図３を参照して、プロジェクタ部３０について説明する。図２のブロック図、および図３のプロジェクタ部３０の構成図に示すように、プロジェクタ部３０は、レンズ駆動回路３００、投影光学系３０１、液晶パネル３０２、ＬＥＤ光源３０３、集光光学系３０４、ＰＢＳ（偏光ビームスプリッタ）ブロック３０５、投射制御回路３０６、および屈曲プリズム３０７を備える。液晶パネル３０２は、投射制御回路３０６からの駆動信号に応じて光像を生成する。なお、本実施の形態では、液晶パネル３０２として図３に示すように反射型の液晶パネルを使用する。投射制御回路３０６は、制御回路５０から出力される投影指令に応じてＬＥＤ光源３０３および液晶パネル３０２へ制御信号を送出する。
【００１９】
ＬＥＤ光源３０３は、白色光を射出する白色ＬＥＤであり、投射制御回路３０６を介して入力した制御回路５０の投影指令に基づいて、図３に示す光軸Ｌ１に沿って白色光を射出する。集光光学系３０４は、ＬＥＤ光源３０３から射出されて入射した白色光をほぼ平行光にしてＰＢＳブロック３０５へ向けて射出する光学系である。ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の面３０５ｂには、たとえば、黒色処理などの無反射処理が施される。ＰＢＳブロック３０５の右側面には反射型液晶素子（ＬＣＯＳ）によって構成される液晶パネル３０２が配設される。液晶パネル３０２は、赤、緑、青のフィルターが形成された複数の画素から構成され、カラーの画像を生成するように投射制御回路３０６により駆動される。
【００２０】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶パネル３０２へ入射されると液晶層を右向きに進行し、液晶パネル３０２の反射面で反射された後、液晶層を左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。ＰＢＳブロック３０５は、再入射された光束のうちＳ偏光成分である変調光のみを偏光分離部３０５ａで光軸Ｌ２に沿った方向へ反射（折り曲げる）し、上方の投影光学系３０１へ向けて射出する。
【００２１】
投影光学系３０１は、液晶パネル３０２から射出される光像を屈曲プリズム３０７へ導く。レンズ駆動回路３００は、投射制御回路３０６から出力されるフォーカス調節信号に基づいて、投影光学系３０１を構成するフォーカスレンズ（不図示）を光軸Ｌ２方向へ進退駆動する。屈曲プリズム３０７は投影光学系３０１から入射した投影光を光軸Ｌ３の方向へ偏向してプロジェクタ投射窓１０３から投影画像をボディ１０の正面に向けて投影する。
【００２２】
次に、図４を用いて投影画像の拡大縮小（ズーミング）について説明する。図４（ａ）〜（ｄ）はプロジェクタ部３０により投影される画像を示し、図４（ｅ）〜（ｇ）は液晶表示器１０７に再生表示される画像を示す。ズーミングは、次の２つの方式により行なわれる。
（１）投影画像の拡大縮小
（２）投影画像のサイズのズーミング
【００２３】
（１）の場合は、カメラモードで動作中の場合と同様に、拡大縮小ボタン１０６ａを操作することにより投影画像がズーミングされる。このとき、液晶表示器１０７に表示中の投影画像と同一の画像も、拡大縮小ボタン１０６ａの操作に応じてズーミングされる。（２）の場合は、モニタボタン１０６ｂを押下操作しながら拡大縮小ボタン１０６ａを操作することにより投影画像のサイズがズーミングされる。
【００２４】
（１．投影画像の拡大縮小）
制御回路５０は、後述するように画像データに対して電子ズーム処理を施すことにより、投射画像の拡大縮小を行なう。投影画像の拡大率は、拡大縮小ボタン１０６ａが操作されると変更される。変更された拡大率は、制御回路５０内の所定の記録領域に記録される。制御回路５０はこの拡大率を読み出し、読み出した拡大率に基づいて投影する画像データに対する電子ズーム処理をメモリ６０上で施し、処理後の画像データを投射制御回路３０６へ送出する。
【００２５】
図４（ａ）に示すように、投射光により照射される投射範囲Ｙに等倍の投影画像Ｘ１が投影されているものとする。このとき、図４（ｅ）に示すように液晶表示器１０７には投影画像Ｘ１と同期した等倍の再生画像Ｈ１が表示されている。この場合に、拡大縮小ボタン１０６ａが右長押し操作されると、制御回路５０は、上述のようにして画像データに対して電子ズーム処理を施す。その結果、投影画像Ｘ１の中心を基準として、拡大縮小ボタン１０６ａの操作量に応じた拡大率でズームアップされた拡大投影画像Ｘ２（図４（ｂ））が投影される。さらに、制御回路５０は、拡大縮小ボタン１０６ａの操作量に応じた拡大率で電子ズーム処理を施した再生画像Ｈ２（図４（ｆ））を液晶表示器１０７に表示する。すなわち、制御回路５０は、液晶表示器１０７による表示画像とプロジェクタ部３０による投影画像とを同期させる。この時、制御回路５０は、投影画像Ｘ２および再生画像Ｈ２の拡大率を示す指標としてバーグラフＺ１を再生画像Ｈ２に重畳して液晶表示器１０７に表示する。バーグラフＺ１の全長が投影画像の拡大率の最大を示し、黒色で示す領域は最大の拡大率に対する現在の拡大率の割合を示す。なお、このバーグラフＺ１は、スクリーン上の投影画像Ｘ２にのみ重畳して表示してもよいし、スクリーンおよび液晶表示器１０７の双方に表示してもよい。
【００２６】
投影画像および再生表示画像の拡大率が最大になるまで操作された状態で、さらに拡大縮小ボタン１０６ａが拡大操作された場合、制御回路５０は、液晶表示器１０７に「スクリーンからカメラを離して下さい」などのメッセージを表示する。なお、このメッセージ表示は、スクリーン上の投影画像にのみ重畳して表示してもよいし、スクリーンおよび液晶表示器１０７の双方に表示してもよい。
【００２７】
図４（ｂ）に示す拡大された投影画像Ｘ２が投影中に拡大縮小ボタン１０６ａが左長押し操作されると、制御回路５０は投影画像Ｘ２をズームダウンする。すなわち、制御回路５０は投影画像Ｘ２の拡大率を、拡大縮小ボタン１０６ａの操作量に応じて引き下げる。同様に、制御回路５０は、液晶表示器１０７に表示中の図４（ｆ）の再生画像Ｈ２の拡大率を引き下げて表示する。
【００２８】
等倍の投影画像Ｘ１が投影され、再生画像Ｈ１が液晶表示器１０７に再生表示されているときに、拡大縮小ボタン１０６ａが左長押し操作、すなわちズームダウン操作されたとする。このとき、制御回路５０は、液晶表示器１０７の表示を再生画像Ｈ１から４枚の複数画像表示に切替える。この時表示される４枚の画像は、再生画像Ｈ１と、再生画像Ｈ１を基準として、たとえば記録日時の古い順に選択される３枚の画像である。さらに拡大縮小ボタン１０６ａが左長押し操作されると、制御回路５０は、液晶表示器１０７を４枚の複数画像表示から９枚の複数画像表示へ切替える。なお、液晶表示器１０７に複数画像表示されている場合でも、スクリーンには、制御回路５０により投影画像Ｘ１がそのまま投影され続ける。すなわち、制御回路５０は、プロジェクタ部３０に対して、液晶表示器１０７による複数画像表示に同期させずに投影画像を投影させる。
【００２９】
（２．投影画像のサイズのズーミング）
モニタボタン１０６ｂが押下された状態で拡大縮小ボタン１０６ａが操作（サイズ変更操作）されると、制御回路５０は、拡大縮小ボタン１０６ａの操作量に応じた拡大率信号を投影制御回路３０６へ出力する。投影制御回路３０６は、入力した拡大率信号に基づいて、液晶パネル３０２の中央を基準として、液晶パネル３０２上に画像を形成する範囲を決定し、この決定された範囲に画像の全体を形成する。
【００３０】
たとえば、図４（ａ）に示す等倍の投影画像Ｘ１が投影され、図４（ｅ）に示す等倍の再生画像Ｈ１が液晶表示器１０７に表示されている場合に、モニタボタン１０６ｂが押下された状態で拡大縮小ボタン１０６ａが左長押し操作されズームダウンされたとする。このとき、投影制御回路３０６は、上述のようにして液晶パネル３０２に画像を形成する。その結果、図４（ｃ）に示すように、投射範囲Ｙの内部に、投影画像Ｘ１自体のサイズが縮小された投影画像Ｘ３が投影される。
【００３１】
図４（ｃ）に示す投影画像Ｘ３が投影中に、モニタボタン１０６ｂが押下された状態で拡大縮小ボタン１０６ａが右長押し操作されると、投影制御回路３０６は投影画像Ｘ３のサイズを拡大する。このとき制御回路５０は、液晶表示器１０７に表示された再生画像Ｈ１を投影画像Ｘ３に同期させず、等倍のまま再生表示を継続する。さらに、制御回路５０は、図４（ｇ）に示すように、投影画像Ｘ３のサイズを示す指標としてバーグラフＺ２を再生画像Ｈ１に重畳して液晶表示器１０７に表示する。バーグラフＺ２の全長が投影画像のサイズの最大を示し、黒色で示す領域は最大サイズに対する現在のサイズの割合を示す。なお、バーグラフＺ２は、スクリーン上の投影画像Ｘ３に重畳して表示してもよいし、スクリーンおよび液晶表示器１０７の双方に表示してもよい。
【００３２】
図４（ｃ）に示す投影画像Ｘ３が投影されているときに、十字キー１０６ｆを操作することにより、投射範囲Ｙの内部で投影画像Ｘ３の投影位置を上下左右に変更することができる。十字キー１０６ｆが操作されると、制御回路５０は、十字キー１０６ｆの操作量に応じて、投射範囲Ｙの中心に対する投影画像Ｘ３の中心座標を示す位置信号を投影制御回路３０６へ出力する。投影制御回路３０６は、入力した位置信号に基づいて、液晶パネル３０２に形成する画像の中心位置を液晶パネル３０２の中央から変更し、変更された中心位置を基準として画像を形成する。その結果、図４（ｄ）に示すように、投影画像Ｘ３が投射範囲Ｙの内部で十字キー１０６ｆの操作に応じて移動される。
【００３３】
図５、６は、電子カメラ１の制御回路５０が実行するプログラムによる処理の流れを説明するフローチャートである。図５、６による処理を行なうプログラムはメモリ（不図示）に格納されており、カメラモードで起動中にプロジェクタボタン７１の操作による切替操作信号が制御回路５０へ入力されると起動する。なお、本発明は上記電子カメラ１の投影モードにおける動作に特徴を有するので、投影モード起動中に制御回路５０によって行われる制御を中心に説明する。
【００３４】
図５のステップＳ１０１において、プロジェクタ部３０により画像を投影してステップＳ１０２へ進む。ステップＳ１０２においては、投影画像に対するズーミング操作が行なわれたか否かを判定する。ズーミング操作がされた場合は、ステップＳ１０２が肯定判定されてステップＳ１０３へ進み、ズーミング操作が行われていない場合は、ステップＳ１０２が否定判定されてステップＳ１０１へ戻る。
【００３５】
ステップＳ１０３においては、ステップＳ１０２で行なわれたズーミング操作が、投影画像の電子ズームによるサイズの変更操作であるか否かを判定する。モニタボタン１０６ｂが押下された状態で拡大縮小ボタン１０６ａの操作による投影画像の右長押しまたは左長押し操作信号を入力した場合は、ステップＳ１０３が肯定判定されてステップＳ１０４へ進む。
【００３６】
ステップＳ１０４においては、ステップＳ１０２における操作がサイズ拡大操作であるか否かを判定する。ステップＳ１０２において、モニタボタン１０６ｂと拡大縮小ボタン１０６ａの操作による右長押し操作信号を入力した場合は、ステップＳ１０４が肯定判定されてステップＳ１０５へ進む。ステップＳ１０５においては、拡大縮小ボタン１０６ａの操作量に応じて投影画像のサイズをズームアップしてステップＳ１０６へ進む。ステップＳ１０６においては、液晶表示器１０７にバーグラフＺ２を表示してステップＳ１１１へ進む。
【００３７】
ステップＳ１１１においては、投影モードが終了されたか否かを判定する。プロジェクタボタン７１から切替操作信号を入力した場合は、ステップＳ１１１が肯定判定されて一連の処理を終了する。切替操作信号を入力しない場合は、ステップＳ１１１が否定判定されてステップＳ１０１へ戻る。
【００３８】
一方、ステップＳ１０４において、ステップＳ１０２における操作がサイズ拡大操作ではない場合は、ステップＳ１０４が否定判定されてステップＳ１０７へ進む。ステップＳ１０７においては、ステップＳ１０２における操作がサイズ縮小操作であるか否かを判定する。ステップＳ１０２において、モニタボタン１０６ｂと拡大縮小ボタン１０６ａによる左長押し操作信号を入力した場合は、ステップＳ１０７が肯定判定されてステップＳ１０８へ進む。
【００３９】
ステップＳ１０８においては、拡大縮小ボタン１０６ａの操作量に応じて投影画像のサイズをズームダウンしてステップＳ１０９へ進む。ステップＳ１０９においては、液晶表示器１０７にバーグラフＺ２を表示してステップＳ１１１へ進む。
【００４０】
ステップＳ１０２において、十字キー１０６ｆの操作に応じて操作信号を入力した場合は、ステップＳ１０７が否定判定されてステップＳ１１０へ進む。ステップＳ１１０においては、十字キー１０６ｆの操作量に応じて投影画像の中心位置を移動してステップＳ１１１へ進む。
【００４１】
ステップＳ１０２において投影画像の拡大率変更操作が行なわれた場合は、ステップＳ１０３が否定判定されて、図６に示すステップＳ２０１へ進む。ステップＳ２０１においては、拡大操作がされたか否かを判定する。ステップＳ１０２で拡大縮小ボタン１０６ａが右長押し操作されて右長押し操作信号を入力した場合は、ステップＳ２０１が肯定判定されてステップＳ２０２へ進む。ステップＳ２０２においては、投影中の画像の拡大率が最大か否かを判定する。投影画像の拡大率が最大の場合は、ステップＳ２０２が肯定判定されてステップＳ２０３へ進む。ステップＳ２０３においては、液晶表示器１０７に、「スクリーンからカメラを離して下さい」などのメッセージを表示して、図５に示すステップＳ１１１へ進む。
【００４２】
投影画像の拡大率が最大ではない場合は、ステップＳ２０２が否定判定されてステップＳ２０４へ進む。ステップＳ２０４においては、画像データに対して電子ズーム処理を施し、拡大縮小ボタン１０６ａの操作に応じた拡大率で拡大した画像を投影してステップＳ２０５へ進む。ステップＳ２０５においては、拡大縮小ボタン１０６ａの操作量に応じた拡大率で拡大した再生画像を液晶表示器１０７に表示するとともに、バーグラフＺ１を表示してステップＳ１１１へ進む。
【００４３】
ステップＳ１０２で拡大縮小ボタン１０６ａが左長押し操作されて左長押し操作信号を入力した場合は、ステップＳ２０１が否定判定されてステップＳ２０６へ進む。ステップＳ２０６においては、投影中の画像が等倍であるか否かを判定する。投影画像が等倍の場合は、ステップＳ２０６が肯定判定されてステップＳ２０９へ進む。ステップＳ２０９においては、液晶表示器１０７に表示される画像を４枚表示に切替えてステップＳ２１０へ進む。
【００４４】
ステップＳ２１０においては、縮小操作がされたか否かを判定する。拡大縮小ボタン１０６ａが左長押し操作されて左長押し操作信号を入力した場合は、ステップＳ２１０が肯定判定されてステップＳ２１１へ進む。ステップＳ２１１においては、液晶表示器１０７に表示される画像を４枚表示から９枚表示に切替えてステップＳ１１１へ進む。拡大縮小ボタン１０６ａが左長押し操作されず左長押し操作信号を入力しない場合は、ステップＳ２１０が否定判定されてステップＳ１１１へ進む。
【００４５】
投影画像が等倍ではない場合は、ステップＳ２０６が否定判定されてステップＳ２０７へ進む。ステップＳ２０７においては、画像データに対して電子ズーム処理を施し、拡大縮小ボタン１０６ａの操作に応じた拡大率でズームダウンした画像を投影してステップＳ２０８へ進む。ステップＳ２０８においては、拡大縮小ボタン１０６ａの操作量に応じた拡大率でズームダウンした再生画像を液晶表示器１０７に表示するとともに、バーグラフＺ１を表示してステップＳ１１１へ進む。
【００４６】
以上で説明した第１の実施の形態の電子カメラ１によると、以下の作用効果が得られる。
（１）制御回路５０は、電子ズーム処理により投影画像の拡大率およびサイズを変更可能にし、液晶表示器１０７に投影画像の拡大率を示すバーグラフＺ１および投影画像のサイズを示すバーグラフＺ２を表示するようにした。したがって、ユーザは投影画像のズーミング操作がどの程度なされているか、あとどの程度ズーミング操作が可能かなどの投影画像のズーミングの状態を把握することができるので、利便性が向上する。
【００４７】
（２）制御回路５０は、投影制御回路３０６に指令して液晶パネル３０２に形成する画像の大きさを変更させ、十字キー１０６ｆなどの操作に応じて液晶パネル３０２上に形成される画像の中心位置を移動させるようにした。その結果、プロジェクタ部３０による投影画像のサイズおよび投影位置を投射範囲Ｙの中で変更することができる。たとえば、図７（ａ）に示すように障害物Ｗなどにより電子カメラ１の載置位置や投影面に制約があり、かつ載置位置と投影面との相対位置を変更できないような場合であっても、図７（ｂ）に示すように画像全体を投影することができるので、ユーザによる電子カメラ１の載置位置の選定に対して自由度を増すことができる。したがって、画像の投影に際して、ユーザはボディ１０自体を移動させて電子カメラ１の載置位置を決めるという煩雑な設定をしなくてもよいので、利便性が向上する。
【００４８】
（３）制御回路５０は、プロジェクタ部３０により投影中の画像と同一の画像を液晶表示器１０７に表示するようにした。さらに、投影画像の拡大率が変更された場合は、制御回路５０は、液晶表示器１０７に同じ拡大率の画像、すなわち投影画像に同期した画像を表示するようにした。したがって、ユーザが投影画像を直接視認できない場合でも、液晶表示器１０７に表示された画像により投影中の画像を確認することができるので、使い勝手が向上する。
【００４９】
（４）制御回路５０は、ユーザ操作により液晶表示器１０７に表示された画像を４枚または９枚の複数表示に切替えた場合であっても、プロジェクタ部３０で投影される画像は複数枚投影に切替えないようにした。すなわち、制御回路５０は、液晶表示器１０７による複数画像表示とプロジェクタ部３０による投影画像を同期させないようにした。したがって、ユーザは次に投影するべき画像を液晶表示器１０７を確認しながら予め選択することができるので、会議などで用いる場合に円滑な議事進行に寄与することができる。もしくは、大勢に見せたくない画像を意図せず投影してしまうという事態を防ぐことができる。
【００５０】
−第２の実施の形態−
次に、本発明による電子カメラ１の第２の実施の形態を説明する。以下の説明では、第１の実施の形態と同じ構成要素には同じ符号を付して相違点を主に説明する。特に説明しない点については、第１の実施の形態と同じである。本実施の形態では、プロジェクタ部３０の投影光学系３０１がズームレンズを有する点で、第１の実施の形態と異なる。したがって、第２の実施の形態の電子カメラ１においては、第１の実施の形態の電子カメラ１と同様の投影画像の拡大縮小、および投影画像のサイズのズーミングに加えて、光学ズームによる投影画像自体のズーミングを行なう。
【００５１】
投影モードにおいて、拡大縮小ボタン１０６ａがユーザにより長押し操作されるごとに、投影画像のズーミングを指示する操作信号が制御回路５０へ送信される。制御回路５０は、受信した操作信号に応じたズーム調整信号を投影制御回路３０６へ送出する。このズーム調整信号に基づいて投影光学系３０１を構成するズームレンズを光軸Ｌ２方向にシフトすることにより、プロジェクタ部３０は投影像の光学ズーム調整を行なう。なお、カメラモードの場合と同様に、制御回路５０は、右長押し操作信号を受信した場合にズームアップするようにズーム調整信号を送り、左長押し操作信号を受信した場合にはズームダウンするようにズーム調整信号を送る。
【００５２】
図８を参照しながら、投影画像および再生画像のズーミングについて説明する。なお。図８（ａ）〜（ｄ）はプロジェクタ部３０により投影される画像を示し、図８（ｅ）〜（ｈ）は液晶表示器１０７に表示される画像を示す。図８（ａ）に示すように、投影光により照射される投射範囲Ｙ１に等倍の投影画像Ｘ１が投影されているときに、拡大縮小ボタン１０６ａが右長押し操作によるズームアップ操作が行なわれたとする。この場合、制御回路５０は、拡大縮小ボタン１０６ａの操作量に応じたズーム調整信号を投影制御回路３０６へ出力し、上述のようにズームレンズを光軸Ｌ２方向にシフトして、投影画像Ｘ１を光学的にズームアップする。その結果、投射範囲Ｙ１および等倍の投影画像Ｘ１のサイズが拡大されて投影される。
【００５３】
図８（ｂ）は、光学ズームによる拡大が最大（ズーム端）の場合の投射範囲Ｙ２および投影画像Ｘ２を示す。また、図８（ｂ）から拡大縮小ボタン１０６ａの左長押し操作によりズームダウン操作が行なわれた場合は、制御回路５０は、拡大縮小ボタン１０６ａの操作量に応じたズーム調整信号を投影制御回路３０６へ出力し、投影画像Ｘ２を光学的にズームダウンする。上述のように投影画像が光学ズームされた場合は、制御回路５０は、図８（ｅ）、（ｆ）に示すように、液晶表示器１０７に表示されている等倍の再生画像Ｈ１の拡大率を変更せず、等倍の再生画像Ｈ１の表示を継続する。すなわち、投影画像が光学ズームされている場合は、制御回路５０は液晶表示器１０７による表示画像とプロジェクタ部３０による投影画像とを同期させない。また、制御回路５０は、投影画像の拡大率を示すバーグラフＺ１を再生画像Ｈ１に重畳表示する。なお、このバーグラフＺ１は、スクリーン上の投影画像のみに重畳して表示してもよいし、スクリーンおよび液晶表示器１０７の双方に表示してもよい。
【００５４】
光学ズームのズーム端まで拡大された状態、すなわち図８（ｂ）に示す投影画像Ｘ２が投影されている状態で、拡大縮小ボタン１０６ａの操作によるズームアップ操作が行なわれたとする。この時、制御回路５０は、第１の実施の形態と同様に電子ズーム処理を施して、投影画像Ｘ２を拡大する。その結果、図８（ｃ）に示すように、投影画像Ｘ２の中心を基準として拡大縮小ボタン１０６ａの操作量に応じた拡大率で拡大された投影画像Ｘ３が投影される。このとき、制御回路５０は、拡大縮小ボタン１０６ａの操作量に応じた拡大率で拡大された拡大再生画像Ｈ２を液晶表示器１０７に表示する。すなわち、投影画像が電子ズーム処理されている場合は、制御回路５０は液晶表示器１０７による表示画像とプロジェクタ部３０による投影画像とを同期させる。
【００５５】
図８（ｃ）に示す投影画像Ｘ３が投影されている状態で、拡大縮小ボタン１０６ａの操作によるズームダウン操作が行なわれると、制御回路５０は、画像データに対して電子ズーム処理を施して、投影画像Ｘ３をズームダウンする。電子ズーム処理により、図８（ｂ）に示す等倍の投影画像Ｘ２が投影されている状態で、拡大縮小ボタン１０６ａの操作によるズームダウン操作が行なわれると、制御回路５０は、上述したようにズームレンズをシフトさせて、投影画像を光学的にズームダウンする。なお、光学ズームによる拡大が最小（ワイド端）までズームダウンされた状態で拡大縮小ボタン１０６ａによりズームダウン操作された場合は、第１の実施の形態と同様に、制御回路５０は、液晶表示器１０７の表示を複数画像の表示に切替える。
【００５６】
また、モニタボタン１０６ｂを押下した状態で拡大縮小ボタン１０６ａが操作された場合は、第１の実施の形態と同様に、投影画像のサイズがズーミングされる。図８（ｂ）に示す投影画像Ｘ２が投射されている状態で上記の操作が行なわれると、拡大縮小ボタン１０６ａの操作量に応じて、たとえば図８（ｄ）に示すように、投射範囲Ｙ２の内部に投影画像Ｘ４が投影される。このとき、図８（ｈ）に示すように、液晶表示器１０７に再生表示された再生画像Ｈ１は投影画像Ｘ４に同期されず、制御回路５０により再生画像Ｈ１の表示が継続される。さらに、制御回路５０は、投影画像Ｘ４のサイズを示す指標として、第１の実施の形態の電子カメラ１と同様に、バーグラフＺ２を再生画像Ｈ１に重畳して液晶表示器１０７に表示する。なお、このバーグラフＺ２は、スクリーン上の投影画像に重畳して表示してもよいし、スクリーンおよび液晶表示器１０７の双方に表示してもよい。
【００５７】
図５、および図９に示すフローチャートを用いて、投影画像のズーミング処理について説明する。なお、図５に示す処理は第１の実施の形態における電子カメラ１の処理と同様の処理を行なうので、図９に示す処理を中心に説明する。
図９のステップＳ４０１においては、図６のステップＳ２０１と同様に、拡大操作がされたか否かを判定する。ステップＳ１０２で拡大縮小ボタン１０６ａが右長押し操作されて右長押し操作信号を入力した場合は、ステップＳ４０１が肯定判定されてステップＳ４０２へ進む。
【００５８】
ステップＳ４０２においては、光学ズームによる拡大が最大の状態（ズーム端）で画像が投影されているか否かを判定する。光学ズームのズーム端で画像が投影されている場合は、ステップＳ４０２が肯定判定されてステップＳ４０３へ進む。ステップＳ４０３（拡大率の最大判定）からステップＳ４０６（再生画像のズームアップおよびバーグラフ表示）までの各処理は、図６のステップＳ２０２（拡大率の最大判定）からステップＳ２０５（再生画像のズームアップおよびバーグラフ表示）までの各処理と同様の処理を行なって、ステップＳ１１１へ進む。
【００５９】
光学ズームのズーム端で画像が投影されていない場合は、ステップＳ４０２が否定判定されてステップＳ４０７へ進む。ステップＳ４０７においては、拡大縮小ボタン１０６ａの操作量に応じて、投影画像を光学ズームによりズームアップしてステップＳ４０８へ進む。ステップＳ４０８においては、液晶表示器１０７にバーグラフＺ１を表示してステップＳ１１１へ進む。
【００６０】
一方、ステップＳ１０２で拡大縮小ボタン１０６ａが左長押し操作されて左長押し操作信号を入力した場合は、ステップＳ４０１が否定判定されてステップＳ４０９へ進む。ステップＳ４０９においては、ステップＳ４０２と同様に、光学ズームによる拡大が最大の状態（ズーム端）で画像が投影されているか否かを判定する。光学ズームのズーム端で画像が投影されている場合は、ステップＳ４０９が肯定判定されてステップＳ４１０へ進む。ステップＳ４１０においては、拡大縮小ボタン１０６ａの操作量に応じて、投影画像を光学ズームによりズームダウンしてステップＳ４１１へ進む。ステップＳ４１１においては、液晶表示器１０７にバーグラフＺ１を表示してステップＳ１１１へ進む。
【００６１】
光学ズームのズーム端で画像が投影されていない場合は、ステップＳ４０９が否定判定されてステップＳ４１２へ進む。ステップＳ４１２においては、光学ズームのワイド端で画像が投影されているか否かを判定する。光学ズームのワイド端で画像が投影されている場合はステップＳ４１２が肯定判定されてステップＳ４１５へ進み、ワイド端ではない場合はステップＳ４１２が否定判定されてステップＳ４１３へ進む。ステップＳ４１３（電子ズーム処理による投影画像のズームダウン）からステップＳ４１７（液晶表示器に画像を９枚表示）までの各処理は、図６のステップＳ２０７（電子ズーム処理による投影画像のズームダウン）からステップＳ２１１（液晶表示器に画像を９枚表示）までの各処理と同様の処理を行なって、ステップＳ１１１へ進む。
【００６２】
以上で説明した第２の実施の形態の電子カメラ１によると、第１の実施の形態の電子カメラ１と同様の作用効果が得られる。
【００６３】
上述した実施の形態の電子カメラ１を以下のように変形できる。
（１）液晶表示器１０７の表示を複数画像表示に切替える際に、プロジェクタ部３０で投影される画像も複数画像に切替えてもよい。この場合、切替えに際して投影画像に重畳して、制御回路５０は、「４枚の画像を投影しますか？Ｙ／Ｎ」などのメッセージを投影する。そして、ユーザにより十字キー１０６ｆが操作されて「Ｙ」が選択されると、制御回路５０は、液晶表示器１０７に表示中の複数画像と同一の複数画像をプロジェクタ部３０により投影する。もしくは、予めメニュー画面で、投影モードにおける複数画像の投影の実否を設定可能にしてもよい。
【００６４】
（２）投影画像の拡大率およびサイズを変更するものに代えて、投影画像の拡大率のみを変更できるようにしてもよい。この場合も、制御回路５０が投影画像の拡大率を示すバーグラフＺ１を液晶表示器１０７に表示することにより、ユーザは投影画像のズーミングの状態を把握することができる。
【００６５】
（３）投影画像のサイズのみが変更可能であってもよい。この場合は、制御回路５０が投影画像のサイズを示すバーグラフＺ２を液晶表示器１０７に表示することにより、ユーザは投影画像のズーミングの状態を把握することができる。
【００６６】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００６７】
【図１】本発明の実施の形態による電子カメラの外観図であり、（ａ）は上面図を示し、（ｂ）は背面図を示し、（ｃ）は正面図を示す。
【図２】電子カメラにおける制御系の要部構成を説明するブロック図である。
【図３】プロジェクタ部の構成を説明する電子カメラの断面図であり、（ａ）は図１（ａ）のＡ−Ａ線断面図を示し、（ｂ）は図１（ａ）のＢ−Ｂ線断面図を示す。
【図４】第１の実施の形態における電子カメラによる投影画像の拡大縮小の様子を説明する図であり、（ａ）は等倍で投影中の画像を示し、（ｂ）は電子ズームにより拡大された投影画像を示し、（ｃ）はサイズが変更された投影画像を示し、（ｄ）はサイズが変更された投影画像の投影位置を移動させた場合を示し、（ｅ）は液晶表示器に等倍表示された再生画像を示し、（ｆ）は（ｂ）に示す投影画像と同一の拡大率で拡大された再生画像を示し、（ｇ）は（ｃ）または（ｄ）に示すサイズが変更された画像を投影中に液晶表示器に表示される等倍の再生画像を示す。
【図５】第１の実施の形態における電子カメラによる投影画像のズーミング処理を説明するフローチャートである。
【図６】第１の実施の形態における電子カメラの投影画像の拡大縮小処理を説明するフローチャートである。
【図７】電子カメラの載置位置と投影面とに制約がある場合を示し、（ａ）は投影画像のサイズを変更できない場合を示し、（ｂ）は投影画像のサイズを変更できる場合を示す。
【図８】第２の実施の形態の電子カメラによる投影画像の拡大縮小の様子を説明する図であり、（ａ）は等倍で投影中の画像を示し、（ｂ）は光学ズームにより拡大された投影画像を示し、（ｃ）は電子ズームにより拡大された投影画像を示し、（ｄ）はサイズが変更された投影画像を示し、（ｅ）は液晶表示器に等倍表示された再生画像を示し、（ｆ）は（ｂ）に示す画像が投影中に液晶表示器に表示される再生画像を示し、（ｇ）は（ｃ）に示す電子ズームにより拡大された投影画像と同一の拡大率で拡大された再生画像を示し、（ｈ）は（ｄ）に示すサイズが変更された画像を投影中に液晶表示器に表示される等倍の再生画像を示す。
【図９】第２の実施の形態における電子カメラの投影画像のズーミング処理を説明するフローチャートである。
【符号の説明】
【００６８】
３０    プロジェクタ部      ４０    撮像部          ５０    制御回路
１０６  操作部材            １０７  液晶表示器
【図１】
2008252676.tif 000003
【図２】
2008252676.tif 000004
【図３】
2008252676.tif 000005
【図４】
2008252676.tif 000006
【図５】
2008252676.tif 000007
【図６】
2008252676.tif 000008
【図７】
2008252676.tif 000009
【図８】
2008252676.tif 000010
【図９】
2008252676.tif 000011